(57)【要約】【課題】簡易な構造で外耳道内の空間とハウジングの外部の空間とを連通させることで、装脱着時における鼓膜の可動性の低下を抑制することを目的とする。【解決手段】  電気信号に応じた音波を発生させるドライバユニット２と、ドライバユニットが収納されるハウジング１と、ドライバユニットの正面側の空間Ｓ１と音波が導かれる外耳道内の空間とを連通させる音導管３と、ハウジングの外部の空間とドライバユニットの背面側の空間Ｓ２とを連通させる第１連通孔１２と、ドライバユニットの背面側の空間とドライバユニットの正面側の空間とを連通させる第２連通孔１４と、第２連通孔１４を開閉する開閉弁５１と、を有してなる、ことを特徴とするイヤホン。【選択図】図１
2017103581.tif 000002
【特許請求の範囲】
【請求項１】
電気信号に応じた音波を発生させるドライバユニットと、
前記ドライバユニットが収納されるハウジングと、
前記ドライバユニットの正面側の空間と、前記音波が導かれる外耳道内の空間と、を連通させる音導管と、
前記ハウジングの外部の空間と、前記ドライバユニットの背面側の空間と、を連通させる第１連通孔と、
前記ドライバユニットの背面側の空間と、前記ドライバユニットの正面側の空間と、を連通させる第２連通孔と、
前記第２連通孔を開閉する開閉弁と、
を有してなる、
ことを特徴とするイヤホン。
【請求項２】
前記開閉弁に連接される移動部、
を備え、
前記移動部が移動したとき、前記開閉弁は前記第２連通孔を開閉する、
請求項１記載のイヤホン。
【請求項３】
前記移動部の一部は、前記ハウジングの外部に露出する、
請求項２記載のイヤホン。
【請求項４】
前記開閉弁が前記第２連通孔を閉じる向きに前記開閉弁を付勢する付勢部、
を備える、
請求項２記載のイヤホン。  
【請求項５】
前記移動部を移動させる操作部、
を備える、
請求項２記載のイヤホン。
【請求項６】
前記移動部の位置を固定する固定部、
を備える、
請求項２記載のイヤホン。
【請求項７】
前記固定部は、
前記移動部に形成される突起と、
前記ハウジングに形成される溝と、
を備え、
前記突起は、前記溝と係合する、
請求項６記載のイヤホン。
【請求項８】
前記突起は、前記移動部の内部に進退可能である、
請求項７記載のイヤホン。
【請求項９】
前記突起が前記溝と係合しているとき、前記開閉弁は前記第２連通孔を開く、
請求項７記載のイヤホン。
【請求項１０】
前記突起が前記ハウジングの内周面と当接しているとき、前記開閉弁は前記第２連通孔を閉じる、
請求項７記載のイヤホン。
【発明の詳細な説明】
【技術分野】
【０００１】
本発明は、イヤホンに関する。
【背景技術】
【０００２】
イヤホンの形式には、耳掛け式・ヘッドホン式・分離式など様々な形式がある。イヤホンの形式の１つとして、耳栓式イヤホン（以下「カナル型イヤホン」という。）がある。
【０００３】
カナル型イヤホンは、電気信号に応じた音波を発生させるドライバユニットと、ドライバユニットが収納されるハウジングと、ドライバユニットの正面側の空間と音波が導かれる外耳道内の空間とを連通させる音導管と、音導管に取り付けられたイヤピースと、を有してなる。カナル型イヤホンの使用者（以下「使用者」という。）は、イヤピースを外耳道内に挿入して使用する。
【０００４】
イヤピースは、使用者の外耳道の内壁と密着する。その結果、外耳道内の空間は、イヤピースにより密閉された状態となる。ここで、外耳道内の空間とは、イヤピースと使用者の外耳道の内壁とが密着したとき、使用者の外耳道の内壁と鼓膜とイヤホンとで形成される空間をいう。ドライバユニットからの音波は、密閉された外耳道内の空間を介して使用者の鼓膜に達する。このため、カナル型イヤホンは、楽音の高い再生音質を実現する。また、カナル型イヤホンの遮音特性は、他の形式のイヤホンに比べて優れる。
【０００５】
カナル型イヤホンが使用者の耳に装着されるとき（装着時）、使用者のイヤホンは、外耳道内の空気を鼓膜に向かって押し込みながら外耳道内の空間を密閉する。そのため、外耳道内の空間の圧力は、ハウジングの外部の空間の圧力（大気圧）より高くなる。その結果、使用者の鼓膜の内外の空間、すなわち、耳管内の空間と外耳道内の空間とで圧力差が生じて、使用者の鼓膜の可動性は低下する。使用者の鼓膜の内外の空間の圧力差は、耳管により調整されて、時間の経過とともに小さくなる。ただし、耳管内の空間の圧力と外耳道内の空間の圧力とは、ハウジングの外部の空間の圧力より、依然として高い。
【０００６】
一方、カナル型イヤホンが使用者の耳から装脱されるとき（装脱時）、外耳道内の空間がハウジングの外部の空間と連通する。そのため、外耳道内の空間の圧力は、大気圧と等しくなる。その結果、使用者の鼓膜の内外の空間で圧力差が生じて、使用者の鼓膜の可動性は低下する。
【０００７】
カナル型イヤホンの装脱着が頻繁に発生したとき、耳管による圧力差の調整が間に合わない。すなわち、使用者の鼓膜の可動性が低下している状態、つまり、音が聞こえにくい状態が続く。
【０００８】
これまでにも、使用者の鼓膜の可動性の低下を抑制するために、外耳道内の空間とハウジングの外部の空間とを連通させる通気管と、通気管を開閉する開閉弁と、が形成されたイヤホンが提案されている（例えば、特許文献１参照）。
【０００９】
通気管は、開閉弁が使用者の指で押し下げられることにより開く。通気管が開くと、ハウジングの外部の空間と外耳道内の空間とは、連通する。その結果、使用者の鼓膜の内外の空間で圧力差が生じない。つまり、使用者の鼓膜の可動性は、低下しない。
【先行技術文献】
【特許文献】
【００１０】
【特許文献１】特開２００８−１４７７１０号
【発明の概要】
【発明が解決しようとする課題】
【００１１】
しかしながら、特許文献１に記載されたイヤホンでは、ハウジングの外周面に突起部が設けられて、その突起部の内部に溝が形成される。この溝は、外耳道内の空間とハウジングの外部の空間とを連通させる通気管を構成する。このように、特許文献１に記載されたイヤホンはハウジングの外周面に溝を形成するための突起部を要し、イヤホンの構造が複雑である。
【００１２】
本発明は、以上のような従来技術の問題点を解消するためになされたもので、簡易な構造で外耳道内の空間とハウジングの外部の空間とを連通させることで、装脱着時における鼓膜の可動性の低下を抑制することを目的とする。
【課題を解決するための手段】
【００１３】
本発明にかかるイヤホンは、電気信号に応じた音波を発生させるドライバユニットと、ドライバユニットが収納されるハウジングと、ドライバユニットの正面側の空間と音波が導かれる外耳道内の空間とを連通させる音導管と、ハウジングの外部の空間とドライバユニットの背面側の空間とを連通させる第１連通孔と、ドライバユニットの背面側の空間とドライバユニットの正面側の空間とを連通させる第２連通孔と、第２連通孔を開閉する開閉弁と、を有してなる、ことを特徴とする。
【発明の効果】
【００１４】
本発明によれば、装脱着時における鼓膜の可動性の低下を抑制することができる。
【図面の簡単な説明】
【００１５】
【図１】本発明にかかるイヤホンの実施の形態を示す右側面視断面図である。
【図２】図１のイヤホンが備える開閉機構の開閉弁が開いた状態を示す右側面視断面図である。
【図３】図１のイヤホンが備える開閉機構の開閉弁が閉じた位置で固定された状態を示す右側面視断面図である。
【図４】図１のイヤホンが備える開閉機構の開閉弁が開いた位置で固定された状態を示す右側面視断面図である。
【図５】図１のイヤホンが使用者の耳に装着された状態を簡易的に示す右側面視断面図である。
【図６】本発明にかかるイヤホンの別の実施の形態を示す右側面視断面図である。
【図７】図４のイヤホンが備える開閉機構の開閉弁が開いた状態を示す右側面視断面図である。
【図８】本発明にかかるイヤホンのさらに別の実施の形態を示す右側面視断面図である。
【図９】図６のイヤホンが備える開閉機構の開閉弁が開いた状態を示す右側面視断面図である。
【発明を実施するための形態】
【００１６】
以下、図面を参照しながら、本発明にかかるイヤホンの実施の形態について説明をする。
【００１７】
●イヤホン（１）●
先ず、本発明にかかるイヤホンの構成について説明する。
【００１８】
●イヤホンの構成
図１は、本発明にかかるイヤホンの実施の形態を示す右側面視断面図である。
イヤホン１００の形式は、カナル型イヤホンである。イヤホン１００は、ハウジング１とドライバユニット２と音導管３とイヤピース４と開閉機構５とを有してなる。
【００１９】
ハウジング１は、ドライバユニット２を収納し、開閉機構５を支持する。ハウジング１は、突出部１１と第１連通孔１２と支持孔１３と音導管３が挿通される挿通孔を有してなる。ハウジング１は、ＡＢＳ樹脂などを材料とする。ハウジング１は、中空体である。
【００２０】
突出部１１は、ハウジング１内において、ドライバユニット２を保持する。突出部１１は、ハウジング１の内周面の一部が全周にわたって、ハウジング１の内側に突出して形成される。突出部１１の内周面の一部には、後述する溝が形成される。
【００２１】
第１連通孔１２は、ハウジング１の外部の空間と、ハウジング１の内部の空間であってドライバユニット２の背面側の空間と、を連通させる。第１連通孔１２は、ハウジング１の外周面に形成される。
【００２２】
支持孔１３は、開閉機構５を支持する。支持孔１３は、ハウジング１の外周面の一部を貫通して形成される。支持孔１３の内周面には、後述する溝１３ａが形成される。
【００２３】
ドライバユニット２は、イヤホン１００が接続された楽音再生機からの電気信号に応じた音波を発生させる。ドライバユニット２は、振動板２１を有する。ドライバユニット２は、平面視において円形の盤状である。
【００２４】
振動板２１は、電気信号に応じて振動して、音波を発生させる。振動板２１は、合成樹脂などを材料とする。振動板２１は、ドーム型のセンタードームと、センタードームの外周を囲む横断面が円弧型のサブドームと、を有してなる。
【００２５】
ハウジング１の内部の空間は、ハウジング１に収納されたドライバユニット２によって、ドライバユニット２の正面側（紙面左側）の空間（以下「空間Ｓ１」という。）と、ドライバユニット２の背面側（紙面右側）の空間（以下「空間Ｓ２」という。）と、に区画される。前述のとおり、第１連通孔１２は、ハウジング１の外部の空間と、空間Ｓ２と、を連通させる。
【００２６】
前述の突出部１１の内周面の一部に形成された溝は、ドライバユニット２の外周面と対向する。ハウジング１内には、突出部１１の溝と、ドライバユニット２の外周面と、により第２連通孔１４が形成される。第２連通孔１４は、空間Ｓ１と空間Ｓ２とを連通させる。
【００２７】
音導管３は、ドライバユニット２からの音波を、イヤホン１００の使用者（以下「使用者」という。）の外耳道に導く。音導管３は、円筒状である。音導管３は、ハウジング１の挿通孔に挿通されて、ハウジング１に突設される。音導管３は、後述する外耳道内の空間と、空間Ｓ１と、を連通させる。
【００２８】
イヤピース４は、使用者の外耳道に挿入される。使用者の外耳道に挿入されたイヤピース４は、使用者の外耳道の内壁に密着する。イヤピース４は、ゴムなどの弾性体を材料とする。イヤピース４は、傘状である。イヤピース４には、音導管３が挿入される挿入孔が形成される。イヤピース４は、音導管３の外周面に取り付けられる。
【００２９】
開閉機構５は、空間Ｓ１と空間Ｓ２との連通状態を制御する。ここで、第１連通孔１２は、空間Ｓ２とハウジング１の外部の空間とを連通させる。すなわち、開閉機構５は、空間Ｓ２を介して、空間Ｓ１とハウジング１の外部の空間とを連通させる。開閉機構５は、開閉弁５１と移動部５２と固定部５３とを有してなる。
【００３０】
開閉弁５１は、第２連通孔１４を開閉する。開閉弁５１は、合成樹脂などを材料とする。開閉弁５１は、第２連通孔１４の空間Ｓ２側の開口端を塞ぐ板状である。開閉弁５１は、空間Ｓ２内に配置される。開閉弁５１の一方の面は、第２連通孔１４の空間Ｓ２側の開口端に対向する。開閉弁５１の他方の面は、移動部５２と連接する。
【００３１】
開閉弁５１が第２連通孔１４の空間Ｓ２側の開口端と接して、第２連通孔１４を閉じている状態（以下「閉鎖状態」という。）においては、空間Ｓ１とハウジング１の外部の空間とは連通されない。開閉弁５１が第２連通孔１４の空間Ｓ２側の開口端から離れて、第２連通孔１４を開いた状態（以下「開放状態」という。）においては、空間Ｓ１とハウジング１の外部の空間とは連通する。
【００３２】
移動部５２は、閉鎖状態と開放状態とが切り替わるように開閉弁５１を移動させる。移動部５２は、合成樹脂などを材料とする。移動部５２は、棒状である。移動部５２には、突起５２ａと板バネ部が形成される。突起５２ａと板バネ部の詳細は、後述する。移動部５２の一端は、開閉弁５１の他方の面に連接（固定）される。移動部５２の他端は、支持孔１３に挿通されて、ハウジング１の外部に露出される。つまり、移動部５２は、支持孔１３に支持される。
【００３３】
図２は、開放状態のイヤホン１００の右側面視断面図である。
同図は、移動部５２の移動によって、第１連通孔１２と空間Ｓ２と第２連通孔１４と空間Ｓ１と音導管３内の空間とが連通していることを示す。すなわち、移動部５２が紙面右方向に移動することで、開閉弁５１は、第２連通孔１４の空間Ｓ２側の開口端から離れて、第２連通孔１４を開く。その結果、空間Ｓ１とハウジング１の外部の空間とが第２連通孔１４と空間Ｓ２とを介して連通する。
【００３４】
図３は、閉鎖状態のイヤホン１００の部分拡大図である。
移動部５２には、板バネ部が片持梁状に形成される。板バネ部は、自由端が移動部５２の軸中心側（内部）に近づくように、弾性変形可能である。突起５２ａは、板バネ部の自由端側に形成される。すなわち、突起５２ａは、移動部５２の内部に進退可能である。この突起５２ａと前述した溝１３ａとは、移動部５２の位置を固定する固定部５３を構成する。
【００３５】
閉鎖状態において、突起５２ａは、ハウジング１の内周面に当接される。ハウジング１から露出する方向（紙面右側）への開閉弁５１の移動は、突起５２ａにより制限される。このため、開閉弁５１は、第２連通孔１４の空間Ｓ２側の開口端と接して、第２連通孔１４を閉じた位置（以下「閉鎖位置」という。）に固定される。つまり、突起５２ａがハウジング１の内周面と当接した状態では、開閉弁５１が閉鎖位置に固定されて、空間Ｓ１とハウジング１の外部の空間とは連通されない状態、すなわち、閉鎖状態が維持される。
【００３６】
閉鎖状態において、所定の操作により、移動部５２がハウジング１から露出する方向（紙面右方向）に所定の力が開閉機構５に加わると、板バネ部の自由端は、突起５２ａの表面にガイドされて、突起５２ａと共に移動部５２の内部に退避する。このとき、移動部５２は、突起５２ａが支持孔１３の内周面に当接した状態で、支持孔１３内を移動可能である。
【００３７】
図４は、開放状態のイヤホン１００の部分拡大図である。
突起５２ａがハウジング１の外周面と当接する位置から溝１３ａに到達すると、突起５２ａは、板バネ部の復元力で退避前の状態に戻る。すなわち、突起５２ａは、溝１３ａと係合する。開閉弁５１における、第２連通孔の方向（紙面左方向）への移動とハウジング１から露出する方向（紙面右方向）への移動とは、係合によって制限される。このため、開閉弁５１は、第２連通孔１４の空間Ｓ２側の開口端と離れて、第２連通孔１４を開いた位置（以下「開放位置」という。）に固定される。つまり、溝１３ａと突起５２ａとが係合した状態では、開閉弁５１が開放位置に固定されて、空間Ｓ１とハウジング１の外部の空間とが連通した状態、すなわち、開放状態が維持される。
【００３８】
溝１３ａと突起５２ａとの係合と、突起５２ａとハウジング１の内周面との当接とは、使用者が移動部５２を操作して移動部５２が移動したときに解除される。換言すれば、開閉弁５１は、移動部５２が操作されるまで開放位置または閉鎖位置に固定される。その結果、開放状態または閉鎖状態が維持される。
【００３９】
なお、溝１３ａと突起５２ａとの数は、同数でなくともよい。すなわち、例えば、突起の数を２、溝の数を１とした場合、本発明にかかるイヤホンは、開閉弁５１が一方の突起で開放位置に固定され、他方の突起で閉鎖位置に固定される。また、例えば、突起の数を１、溝の数を２とした場合、本発明にかかるイヤホンは、開閉弁５１が一方の溝で開放位置に固定され、他方の溝で閉鎖位置に固定される。
【００４０】
●イヤホンの動作
次に、イヤホン１００の動作について説明する。
なお、ここでは、突起５２ａがハウジング１の内周面と当接した閉鎖状態のイヤホン１００が使用者の耳に装着される場合を例に説明する。
【００４１】
図５は、使用者の耳に装着されたイヤホン１００の右側面視断面図である。
同図は、イヤピース４が使用者の外耳道に挿入された状態を示す。イヤピース４の一部は、使用者の外耳道の内壁ＥＣ１，ＥＣ２に密着する。ここで、使用者の外耳道の内壁は、以下の説明の便宜上、別々の符号ＥＣ１とＥＣ２とを用いて示す。このとき、ハウジング１の外部の空間のうち、外耳道内の空間（以下「空間Ｓ３」という。）と、空間Ｓ３を除くその他の空間（以下「空間Ｓ４」という。）とは、連通可能である。すなわち、空間Ｓ３と空間Ｓ４とは、第１連通孔１２と空間Ｓ２と第２連通孔１４と空間Ｓ１と音導管３内の空間とを介して連通可能である。ここで、外耳道内の空間とは、使用者の外耳道の内壁ＥＣ１，ＥＣ２と使用者の鼓膜Ｅとイヤピース４とで区画された空間であって、音導管３を介して空間Ｓ１と連通する空間をいう。
【００４２】
イヤホン１００が使用者の耳に装着されるとき、イヤピース４は、外耳道の内部の空気を鼓膜Ｅに向かって押し込みながら使用者の外耳道に挿入される。そのため、イヤピース４は、使用者の外耳道の内壁ＥＣ１，ＥＣ２に密着する。開閉弁５１が第２連通孔１４を閉じているため、空間Ｓ３は密閉される。その結果、空間Ｓ３の圧力は、空間Ｓ４の圧力（大気圧）よりも高くなる。突起５２ａがハウジング１の内周面に当接された閉鎖状態が維持される間は、空間Ｓ３の圧力が空間Ｓ４の圧力よりも高い状態で維持される。
【００４３】
閉鎖状態において、開閉機構５の操作により移動部５２がハウジング１から露出する方向（紙面右方向）に移動すると、開閉弁５１は、第２連通孔１４の空間Ｓ２側の開口端から離れて、第２連通孔１４を開く。開閉機構５の操作の例としては、移動部５２のハウジング１の外部に露出した部分が使用者の指でハウジング１の外部に引っ張られる操作がある。移動部５２は、突起５２ａが溝１３ａに係合する位置まで移動する。
【００４４】
開放状態では、空間Ｓ３と空間Ｓ４とは、音導管３内の空間と空間Ｓ１と第２連通孔１４と空間Ｓ２と第１連通孔１２とを介して連通する。すなわち、空間Ｓ３の密閉状態は解除される。その結果、空間Ｓ３の圧力は、空間Ｓ４の圧力（大気圧）まで低下して、空間Ｓ４の圧力と同じになる。突起５２ａが溝１３ａに係合された開放状態が維持される間は、空間Ｓ３と空間Ｓ４との連通は維持される。
【００４５】
開放状態では、空間Ｓ４の音、つまり、外部からの音は、第１連通孔１２と空間Ｓ２と第２連通孔１４と空間Ｓ１と音導管３内の空間と空間Ｓ３とを介して、使用者の鼓膜Ｅに到達する。すなわち、使用者は、使用者の耳にイヤホン１００が装着された状態で、ハウジング１の外部の音（例えば、会話音）を聞くことができる。そのため、使用者はハウジング１の外部の音を聞くためにイヤホン１００を耳から装脱しなくてもよい。
【００４６】
開放状態において、開閉機構５の操作により、移動部５２がハウジング１から露出する方向と反対方向（紙面左方向）に移動すると、開閉弁５１は第２連通孔１４の空間Ｓ２側の開口端と接して、第２連通孔１４を閉じる。開閉機構５の操作の例としては、ハウジング１の外部に露出した移動部５２の部分が使用者の指でハウジング１の内部に押し込まれる操作がある。移動部５２は、突起５２ａがハウジング１の内周面と当接する位置まで移動する。
【００４７】
開放状態から閉鎖状態に切り替わって開閉弁５１が第２連通孔１４を閉じると、空間Ｓ３は空間Ｓ４の圧力（大気圧）で密閉される。
【００４８】
●まとめ
以上説明した実施の形態によれば、イヤホン１００は、空間Ｓ１と空間Ｓ４とを連通させる開閉機構５を備える。開閉機構５は、移動部５２が操作されたときに開閉弁５１を移動させて第２連通孔１４を開閉するという簡易な構造により、空間Ｓ３と空間Ｓ４との連通を制御できる。すなわち、本実施の形態にかかるイヤホン１００によれば、簡易な構造により空間Ｓ３と空間Ｓ４との圧力差を解消させて、使用者の鼓膜Ｅの可動性の低下を抑制することができる。
【００４９】
また、開放状態のイヤホン１００において、使用者は、使用者の耳にイヤホン１００が装着された状態で、ハウジング１の外部の音（例えば、会話音）を聞くことができる。そのため、使用者はハウジング１の外部の音を聞くためにイヤホン１００を耳から装脱しなくてもよい。
【００５０】
なお、以上説明した実施の形態は、閉鎖状態のイヤホン１００を耳に装着した後に開放状態にして空間Ｓ３の圧力と空間Ｓ４の圧力との圧力差を解消する場合であった。これに代えて、例えば、空間Ｓ３と空間Ｓ４とが連通している開放状態のイヤホン１００を耳に装着する場合、装着直後の空間Ｓ３の圧力と空間Ｓ４の圧力とでは圧力差は生じない。そのため、使用者の耳の鼓膜Ｅの可動性は、イヤホン１００が装着されても低下しない。
【００５１】
●イヤホン（２）●
次に、本発明にかかるイヤホンの別の実施の形態について、先に説明した実施の形態と異なる部分を中心に説明する。
【００５２】
●イヤホンの構成
本実施の形態にかかるイヤホンは、開閉機構５が付勢部を備える点において、先に説明した実施の形態と異なる。また、本実施の形態にかかるイヤホンは、固定部５３を備えていない点において、先に説明した実施の形態と異なる。
【００５３】
図６は、本発明にかかるイヤホンの別の実施の形態を示す右側面視断面図である。
イヤホン２００は、開閉機構５Ａを有する。開閉機構５Ａは、開閉弁５１と移動部５２と付勢部５４とを有する。
【００５４】
付勢部５４は、開閉弁５１が第２連通孔１４を閉じる向き（紙面左方向）に開閉弁５１を付勢する。付勢部５４は、例えば、移動部５２が挿通されるコイルバネである。付勢部５４は、空間Ｓ２内に配置される。開閉弁５１は、付勢部５４の付勢力により、閉鎖位置に固定される。つまり、付勢部５４は、先に説明した実施の形態における固定部５３に相当する。
【００５５】
●イヤホンの動作
次に、イヤホン２００の動作について説明する。
なお、ここでは、閉鎖状態のイヤホン２００が使用者の耳に装着されている場合を例に説明する。
【００５６】
閉鎖状態において、開閉機構５Ａが操作されて移動部５２がハウジング１から露出する方向に移動すると、開閉弁５１は付勢部５４からの付勢力に抗して、第２連通孔１４を開く。開閉機構５Ａの操作の例としては、ハウジング１の外部に露出した移動部５２の部分が使用者の指で引っ張られる操作がある。
【００５７】
図７は、開放状態のイヤホン２００の右側面視断面図である。
同図は、移動部５２の移動により、第１連通孔１２と空間Ｓ２と第２連通孔１４と空間Ｓ１と音導管３内の空間とが連通していることを示す。すなわち、移動部５２が紙面右方向に移動することで、開閉弁５１が第２連通孔１４の空間Ｓ２側の開口端から離れ、ハウジング１の外部の空間と空間Ｓ１とが第２連通孔１４と空間Ｓ２とを介して連通する。  
【００５８】
開放状態において、使用者の指が移動部５２から離されると、付勢部５４の付勢力により移動部５２が移動（紙面左方向に移動）して、開閉弁５１が第２連通孔１４を閉じる。
【００５９】
●まとめ
以上説明した実施の形態によれば、イヤホン２００は、付勢部５４により、開閉機構５Ａが操作されないかぎり、開閉弁５１を閉鎖位置に固定することができる。
【００６０】
なお、本実施の形態におけるイヤホンにおいて、付勢部５４の付勢力に抗して開放状態を維持する開閉弁５１を固定する固定部が設けられてもよい。この固定部は、例えば、先に説明した実施の形態における、溝１３ａと突起５２ａとで構成される。開放状態を維持する固定部が備えられることで、付勢部５４の付勢力により通常は閉鎖状態が維持されるイヤホンにおいて、開放状態を維持することができる。
【００６１】
以上説明した実施の形態におけるイヤホンの移動部は、棒状である。しかし、本発明にかかるイヤホンの移動部は、開閉弁５１を移動させるものであればよく、線状または紐状でもよい。
【００６２】
すなわち、例えば、先に説明した実施の形態における棒状の移動部５２に代えて、ハウジング１の支持孔１３に挿通される線状または紐状の部材（以下「紐材」という。）でもよい。
【００６３】
また、移動部としての紐材の別の例としては、その一端が、開閉弁５１の空間Ｓ２側の面に連接（固定）されて、他端が、後述する接続コードの被膜の内側（不図示）に連接される紐材でもよい。接続コードは、ドライバユニット２に電気信号を導く芯線と、芯線を保護する被膜と、を有する。接続コードは、ハウジング１の外側に設けられたブッシング（不図示）の内部に挿通される。芯線は、チューブ状の被膜の内部に挿通される。
【００６４】
ここで、被膜は、ブッシングと芯線とに対して移動可能である。換言すれば、ブッシングと芯線とは、被膜の移動による影響を受けない。つまり、芯線とドライバユニット２との接続は、維持される。
【００６５】
前述のとおり、被膜の内部には、移動部としての紐材が連接される。移動部は、被膜の移動に応じて、移動する。すなわち、閉鎖状態において、被膜が操作されて移動部が移動すると、開閉弁５１は、第２連通孔１４を開く。被膜の操作の例としては、ハウジング１の外部に露出した接続コードの被膜を使用者の指で引っ張られる操作がある。
【００６６】
開放状態において、使用者の指が接続コードの被膜から離されると、例えば、付勢部の付勢力により移動部が第２連通孔１４側に移動し、開閉弁５１が第２連通孔１４を閉じる。
【００６７】
なお、被膜と連接する紐材を移動部として用いるときは、先に説明した実施の形態のように、ハウジングに移動部の一部を支持する支持孔は不要である。
【００６８】
●イヤホン（３）●
次に、本発明にかかるイヤホンのさらに別の実施の形態について、先に説明した実施の形態と異なる部分を中心に説明する。
【００６９】
●イヤホンの構成
本実施の形態にかかるイヤホンは、開閉機構５が操作部を有する点において、これまでに説明した実施の形態と異なる。また、本実施の形態にかかるイヤホンは、固定部５３を備えていない点において、図１に示した実施の形態と異なる。
【００７０】
図８は、本発明にかかるイヤホンのさらに別の実施の形態を示す右側面視断面図である。
イヤホン３００は、開閉機構５Ｂを有する。
【００７１】
開閉機構５Ｂは、開閉弁５１と移動部５２と付勢部５４と操作部５５とを有する。
【００７２】
操作部５５は、イヤホン３００の使用者の指に摘ままれるなど操作されることで、移動部５２を紙面右方向に移動させる。その結果、第２連通孔１４は開く。操作部５５は、弾性体であり、例えば、板バネである。操作部５５は、第１バネ部５５ａと第２バネ部５５ｂとを備える。第１バネ部５５ａと第２バネ部５５ｂとは、移動部５２に対して、対称（例えば、上下対象）に配置される。
【００７３】
第１バネ部５５ａの一端は、ハウジング１の外周面に形成された支持孔１３より上部（紙面上側）に接合される。第１バネ部５５ａの他端は、移動部５２の他端（移動部５２の
一端には開閉弁５１が固定される）に接合される。第１バネ部５５ａは、紙面上方向に凸となるように、ハウジング１の支持孔１３が形成された面と、移動部５２の他端と、の間に取り付けられる。第２バネ部５５ｂの一端は、ハウジング１の外周面に形成された支持孔１３より下部（紙面下側）に接合される。第２バネ部５５ｂの他端は、移動部５２の他端（移動部５２の一端には開閉弁５１が固定される）に接合される。第２バネ部５５ｂは、紙面下方向に凸となるように、ハウジング１の支持孔１３が形成された面と、移動部５２の他端と、の間に取り付けられる。
●イヤホンの動作
【００７４】
図９は、開放状態のイヤホン３００の右側面視断面図である。
イヤホン３００の使用者の指で摘ままれて操作部５５が移動部５２の方向（図中矢印の方向）に押圧されると、第１バネ部５５ａと第２バネ部５５ｂのそれぞれは、紙面左右方向の両端が離れるように変形する。その結果、移動部５２は、付勢部５４の付勢力に抗して開閉弁５１が第２連通孔１４を開く向き（紙面右方向）に移動する。
【００７５】
開放状態において、イヤホン３００の使用者の指が操作部５５から離れて操作部５５に対する押圧が解除されると、付勢部５４の付勢力により、移動部５２は、開閉弁５１が第２連通孔１４を閉じる向き（紙面左方向）に移動する。
【００７６】
●まとめ
以上説明した実施の形態によれば、イヤホン３００は、開閉弁５１に固定された移動部５２を移動させる操作部５５の操作によって、開閉弁５１を移動させることができる。換言すれば、イヤホン３００は、使用者に移動部５２を直接操作させなくても開閉弁５１を移動させることができる。
【００７７】
なお、本実施の形態のイヤホンにおいて、付勢部５４や操作部５５の付勢力に抗して開放状態を維持する開閉弁５１を固定する固定部が設けてもよい。この固定部は、例えば、先に説明した実施の形態における、溝１３ａと突起５２ａとで構成される。開放状態を維持する固定部を備えることで、付勢部５４や操作部５５の付勢力により通常は閉鎖状態が維持されるイヤホンにおいて、開放状態を維持することができる。
【符号の説明】
【００７８】
１        ハウジング
１１      突出部
１２      第１連通孔
１３      支持孔
１３ａ    溝
１４      第２連通孔
２        ドライバユニット
２１      振動板
３        音導管
４        イヤピース
５        開閉機構
５１      開閉弁
５２      移動部
５２ａ    突起
５３      固定部
１００    イヤホン
５４      付勢部
２００    イヤホン
５５      操作部
５５ａ    第１バネ部
５５ｂ    第２バネ部
３００    イヤホン
Ｅ        鼓膜
ＥＣ１    外耳道の内壁
ＥＣ２    外耳道の内壁
Ｓ１      ドライバユニットの正面側の空間
Ｓ２      ドライバユニットの背面側の空間
Ｓ３      外耳道内の空間
Ｓ４      ハウジングの外部の空間
【図１】
2017103581.tif 000003
【図２】
2017103581.tif 000004
【図３】
2017103581.tif 000005
【図４】
2017103581.tif 000006
【図５】
2017103581.tif 000007
【図６】
2017103581.tif 000008
【図７】
2017103581.tif 000009
【図８】
2017103581.tif 000010
【図９】
2017103581.tif 000011